(57)【要約】      （修正有）【課題】天板を拡張することができると共に脚柱を任意に昇降しうる天板拡縮型昇降テーブルを提供する。【解決手段】天板拡縮型昇降テーブルは、床面に設置される脚台２上に立設された脚柱３と、脚柱の上部に固定された天板支持フレーム４と、脚柱に内蔵されて天板支持フレームを上下動させる上下伸縮装置５と、脚柱に設けられて上下伸縮装置を操作する操作部材６と、天板支持フレーム上に載置され、左右一対の天板構成片９ａ、９ｂの中央でヒンジ８を介して折畳乃至展開しうる天板１０と、一対の天板のいずれか一方と天板支持フレームの間に設けられて折畳まれた天板を水平に旋回しうる枢軸部とからなる。【選択図】図２
0003221288.tif 000002
【実用新案登録請求の範囲】
【請求項１】
床面に設置される脚台上に立設された脚柱と、脚柱の上部に固定された天板支持フレームと、前記脚柱に内蔵されて天板支持フレームを上下動させる上下伸縮装置と、前記脚柱に設けられて前記上下伸縮装置を操作する操作部材と、前記天板支持フレーム上に載置され、左右一対のテーブル構成片の中央でヒンジを介して折畳乃至展開しうるテーブルと、該一対のテーブルのいずれか一方と天板支持フレームの間に設けられて折畳まれた天板を水平に旋回しうる枢軸部とからなっていることを特徴とする天板拡縮型昇降テーブル。
【請求項２】
天板支持フレームに、天板折畳姿勢および天板展開姿勢においてそれぞれ天板裏面に形成された凹部に挿入して天板の回転をロック乃至ロック解除する回転ロック手段が設けられていることを特徴とする請求項１に記載の天板拡縮型昇降テーブル。
【請求項３】
天板支持フレームにアーム部が固定されており、該アーム部の先端に天板裏面に突出する回転軸を旋回可能に軸受けする軸受部が形成されていることを特徴とする請求項１に記載の天板拡縮型昇降テーブル。
【請求項４】
脚台が、脚柱の底面を支持する脚台板と、該脚台板の裏面に固定されて左右一対に伸びると共に脚台板の前後方向に延びる脚台板支持フレームと、該一対の脚台板支持フレームの端部にそれぞれ固定されて脚台板支持フレームと直交する方向に延びる一対の支脚フレームとからなっており、各支脚フレームの前後に伸縮する補助支脚がそれぞれ設けられており、該補助支脚は伸張位置および短縮位置でそれぞれロックしうることを特徴とする請求項１から３のいずれかに記載の天板拡縮型昇降テーブル。
【考案の詳細な説明】
【技術分野】
【０００１】
本考案は、天板を拡張することができると共に脚柱を任意に昇降しうるテーブルの改良に関する。
【背景技術】
【０００２】
この種のサイドテーブルとして、例えば、意匠登録第８９６６６４号にあるように、一対の天板間にヒンジを設けて２つ折りしたサイズの天板と、該２つ折りの天板を水平に９０度旋回して、変位した天板を展開した２倍サイズの天板に
変形させると共に、脚柱がＸ状に交差する一対のフレームからなっており、天板展開時には一対の脚柱の交差角を拡げて天板を支持する形態が開示されている。
上記構成では、天板の展開時に、同時に脚柱の交差角を変更する必要があり、操作が煩雑になると共に、展開時には、天板の高さが低くなり、いずれの態様でも天板の高さを自在に昇降することができないという欠点があった。
【先行技術文献】
【特許文献】
【０００３】
【特許文献１】意匠登録第８９６６６４号公報
【考案の概要】
【考案が解決しようとする課題】
【０００４】
本考案が、解決しようとする問題点は、２つ折りされた天板を水平のまま９０度旋回し、旋回位置で天板を開いて天板を２倍に拡大すると共に、脚柱に設けた上下伸縮装置によって、天板の高さを自在に調整することができる天板拡縮型昇降テーブルを提供することにある。
【課題を解決するための手段】
【０００５】
本考案は、前記課題を解決するために、請求項１の考案では、
床面に設置される脚台上に立設された脚柱と、脚柱の上部に固定された天板支持フレームと、前記脚柱に内蔵されて天板支持フレームを上下動させる上下伸縮装置と、前記脚柱に設けられて前記上下伸縮装置を操作する操作部材と、前記天板支持フレーム上に載置され、左右一対のテーブル構成片の中央でヒンジを介して折畳乃至展開しうる天板構成片からなる天板と、該一対のテーブルのいずれか一方と天板支持フレームの間に設けられて折畳まれた天板を水平に旋回しうる枢軸部とからなっていることを特徴とする。
請求項２の考案では、
前記天板支持フレームに、天板折畳姿勢および天板展開姿勢においてそれぞれ天板裏面に形成された凹部に挿入して天板の回転をロック乃至ロック解除する回転ロック手段が設けられていることを特徴とする。
請求項３の考案では、
前記天板支持フレームにアーム部が固定されており、該アーム部の先端に天板裏面に突出する回転軸を旋回可能に軸受けする軸受部が形成されていることを特徴とする。
請求項４の考案では、
前記脚台が、脚柱の底面を支持する脚台板と、該脚台板の裏面に固定されて左右一対に伸びると共に脚台板の前後方向に延びる脚台板支持フレームと、該一対の脚台板支持フレームの端部にそれぞれ固定されて脚台板支持フレームと直交する方向に延びる一対の支脚フレームとからなっており、各支脚フレームの前後に伸縮する補助支脚がそれぞれ設けられており、該補助支脚は伸張位置および短縮位置でそれぞれロックしうることを特徴とする。
【考案の効果】
【０００６】
この考案は、天板を拡開して拡げても十分に支持することができると共に、脚台を自由に昇降させることができる天板拡縮型昇降テーブルを提供することにある。
【図面の簡単な説明】
【０００７】
【図１】実施例１の天板を点線で示し、脚台を省略したテーブルの構造を示す平面図である。
【図２】天板折畳状態の実施例１の斜視図である。
【図３】図１の天板を９０度回転させた状態の平面図である。
【図４】図１の天板展開状態の平面図である。
【図５】天板展開状態の実施例１の斜視図である。
【図６】実施例２の脚台の平面図である。
【図７】補助支脚を伸張させた状態の平面図である。
【図８】補助支脚のロック状態を示す部分断面図である。
【考案を実施するための形態】
【０００８】
この考案の天板拡縮型昇降テーブル１について好適実施例を図面を参照しながら説明する。
天板拡縮型昇降テーブル１は、図１および図２示すように、床面に設置される脚台２上に立設された角柱状の脚柱３と、該脚柱３の上部に固定された天板支持フレーム４とを有しており、前記脚柱３には天板支持フレーム４を上下動させるガススプリングのような上下伸縮装置５が垂直に起立した姿勢で内蔵されている。
【０００９】
前記上下伸縮装置５は、図中点線で外形を示すが、前記脚柱３の下部に設けられたペダル状の操作部材６を踏み込むことによって昇降動し、足を外すことで現在の位置でロックさせることができるガススプリングや油圧スプリングその他の高さ調節用の公知構成の上下伸縮装置からなっている。
【００１０】
そして、上記上下伸縮装置５は上部の伸縮端に、天板１０の裏面に固定されて天板１０を上昇させる天板支承部５ａが形成されている。
天板１０を下降させる際には前記ロックを外し、天板１０を上から押し下げることで所望の高さまで押し下げることができ、その位置でロックをかければよい。
【００１１】
また、前記脚台２は、実施例１で示したように、脚柱３を中心に配置した一体の台であってもよいし、図６以降に示すように、一方に前後に伸びる一対の伸縮足部１２、１３を設けており、天板展開時に伸縮足部１２，１３を伸張することで、脚台２の安定性を高めることができる。
【００１２】
前記天板１０は、天板支持フレーム４に対して水平姿勢で旋回することができるように枢着されている。
本実施例では、天板支持フレーム４は、外周に形成された矩形の外枠部４ａと、外枠部４ａの長手辺の中央で対向する辺に掛け渡されると共に左右一対に設けられた中央枠部４ｂと、該一対の中央枠部４ｂの中央に掛け渡されて、上下伸縮装置５の伸縮端に設けられた天板支承部５ａによって上下に連動する受板４ｃとからなっている。
【００１３】
そして、一方の中央枠部４ｂの所定位置には、外方へ伸びるアーム部１５が固定されており、該アーム部１５の先端に回転軸１６が固定されており、天板の下側の天板構成片の裏面に形成された軸受部１７によって天板１０が水平に旋回しうるようになっている。
該回転軸１６の位置は、天板１０の回転中心であって、２つ折りされた天板１０が、天板支持フレーム４の外枠４ａからはみ出さない位置に整合する折畳姿勢と、左右に展開した天板１０が、天板支持フレーム４の外枠４ａを中央に配置する展開姿勢に変位する位置に設定されている。
【００１４】
天板１０は、ヒンジ８で連設された上下一対の天板構成片９ａ、９ｂからなっている。
そして、前述のように天板１０は、図１、図２で示す天板支持フレーム４上に重なる折畳位置から、天板支持フレーム４から水平で直角に回転する展開準備位置に変位する（図３参照）。
【００１５】
まず前記天板１０が任意に回転しないように、天板１０の折畳位置および展開位置のそれぞれで天板支持フレーム４と固定するための回転ロック手段が設けられている。
この回転ロック手段の一例として、本実施例では、天板支持フレーム４の一方の中央枠部４ｂに一体に固定されたロック片２０を上下に貫通して進退動するロックネジ２１が設けられており、下側の天板構成片９ｂに天板の折畳位置で前記ロックネジ２１と螺合する第１ネジ受部２２が形成されている。
【００１６】
また、図４および図５に示す天板展開時には、上側の天板構成片９ａに天板の展開位置で前記ロックネジ２１と螺合する第２ネジ受部２３が形成されている。
これにより、天板折畳位置では、ロックネジ２１が第１ネジ受部２２に螺合して折畳姿勢の天板と天板支持フレーム４とが固定され、ロックネジ２１の螺合を外すことで天板１０を回転させ、展開姿勢に拡げることができる。
【００１７】
また、前記脚台２は、天板１０を支持する脚柱３を中心に配置してこれらを設置面上に支持するもので、脚柱３の下部に固定されており、図２、図５では、脚台２が一体の台板からなっている。
この場合、脚台２は、天板折畳姿勢のときに、天板１０の外周の輪郭より外側にはみ出さない輪郭に設定されることが好ましい。
【００１８】
上記脚台２は、天板展開姿勢の時に、脚台２の輪郭も大きくなって、安定性を高める構成であってもよい。
図６および図７に示す実施例２の脚台４は、脚柱３の底面を支持する角板状の脚台板２５と、該脚台板２５の裏面に固定されて左右一対に伸びると共に脚台番２５の前後方向に延びる脚台板支持フレーム２６と、該一対の脚台板支持フレーム２６の端部にそれぞれ固定されて脚台板支持フレーム２６と直交する方向に延びる一対の支脚フレーム２７とからなっている。
【００１９】
図示例では、各支脚フレーム２７、２７の前後に伸縮する補助支脚２８、２９が設けられており、天板展開時に、前記補助支脚２８，２９を伸張させて支脚フレーム２７の長さを補助支脚２８、２９によって延長方向に長くすることができる。
これによって脚台４の設置面積を拡大することができ、天板展開姿勢における安定性を高めることができる。
【００２０】
支脚フレーム２７は、先端が断面横倒コ字のソケット状となっており、前記補助支脚２８，２９を摺動可能に内蔵している。
そして、補助支脚２８、２９が支脚フレーム２７に内蔵された収納位置では、支脚フレーム２７に形成されたロック孔３０ａに螺合するロックネジ３０が、補助支脚２８，２９に設けて収納時に前記ロック孔３０ａと整合する収納孔３２に螺合して収納位置に固定される（図８参照）。
【００２１】
伸張時には、前記ロックネジ３０を外して補助支脚２８、２９を外方へ引き出す。
補助支脚２８，２９には伸張位置で前記ロック孔３０ａと整合する位置に、伸張孔３３が穿設されており、前記ロックネジ３０を螺合することで、補助支脚２８，２９を伸張位置で支脚フレーム２７に固定することができる。
これにより、脚台の設置面積を拡大することができる。
【００２２】
この考案では、ロックネジに替えて、上から押圧することでロックしうるロックピンを設けてもよく、その他、公知の長さ調整手段を支脚フレーム２７と補助支脚２８，２９の間に設けてもよい。
その他、要するにこの発明の要旨を変更しない範囲で種々設計変更しうること勿論である。
【符号の説明】
【００２３】
１    天板拡縮型昇降テーブル１
２    脚台
３    脚柱
４    天板支持フレーム
５    上下伸縮装置
６    操作部材
８    ヒンジ
９ａ、９ｂ  天板構成片（上側、下側）
１０    天板
１１    枢軸部
１２，１３  伸縮足部１２、１３
１５    アーム部
１６    軸受部
１７    回転軸
２０    ロック用フレーム
２１    ロックネジ
２２    第１ネジ受部
２３    第２ネジ受部
２５    脚台板
２６    脚台板支持フレーム
２７    支脚フレーム
２８、２９  補助支脚
３０    ロックネジ
【図１】
0003221288.tif 000003
【図２】
0003221288.tif 000004
【図３】
0003221288.tif 000005
【図４】
0003221288.tif 000006
【図５】
0003221288.tif 000007
【図６】
0003221288.tif 000008
【図７】
0003221288.tif 000009
【図８】
0003221288.tif 000010